(57)【要約】【課題】パンチ処理がなされている原稿のコピー後の記録紙にもパンチ処理を行って出力させたい場合に、ユーザの手を煩わせることなく、原稿と同じ配列パターンのパンチ穴を記録紙に形成することが可能な画像形成装置を提供する。【解決手段】原稿の画像を読み取る読取手段（リーダ部４００）と、読取手段によって読み取られた画像データを記録紙に画像形成する画像形成手段（プリンタ部４０１）とを備える。また、画像形成手段によって画像形成された記録紙に複数の配列パターンの何れかでパンチ穴を形成するパンチ手段（後処理装置３００）を備える。また、読取手段によって読み取られた画像データ上の前記パンチ穴の前記配列パターンを検出するパターン検出手段（画像処理部６１０）を備える。さらに、パターン検出手段の検出結果に従ってパンチ手段で実行すべきパンチ処理方法を決定する決定手段（ＣＰＵ６００）を備える。【選択図】図４
2010001096.tif 000002
【特許請求の範囲】
【請求項１】
原稿の画像を読み取る読取手段と、
前記読取手段によって読み取られた画像データを記録紙に画像形成する画像形成手段と、
前記画像形成手段によって画像形成された記録紙に複数の配列パターンの何れかでパンチ穴を形成するパンチ手段と、
前記読取手段によって読み取られた画像データ上の前記パンチ穴の前記配列パターンを検出するパターン検出手段と、
前記パターン検出手段の検出結果に従って前記パンチ手段で実行すべきパンチ処理方法を決定する決定手段と、
を備えることを特徴とする画像形成装置。
【請求項２】
前記パターン検出手段は、前記配列パターンとして、前記パンチ穴の数及び位置を検出することを特徴とする請求項１記載の画像形成装置。
【請求項３】
前記パンチ手段は、前記決定手段によって決定されたパンチ処理方法で、画像形成後の記録紙にパンチ処理を行うことを特徴とする請求項１記載の画像形成装置。
【請求項４】
前記決定手段によって決定されたパンチ処理方法で、画像形成後の記録紙にパンチ処理を行うか否か選択するための選択手段を備えることを特徴とする請求項１記載の画像形成装置。
【発明の詳細な説明】
【技術分野】
【０００１】
本発明は、後処理装置を備える画像形成装置に関する。
【背景技術】
【０００２】
従来、画像形成装置においては、出力後の記録紙に対してステープル処理やパンチ処理等の後処理を行う後処理装置を備えたものがあり、ユーザの操作によって、後処理のスタイルや位置を指定できるものが知られている。
【０００３】
ところで、パンチ処理がなされている原稿をコピーする際には、コピー後の記録紙にも原稿と同じ位置にパンチ処理を行って出力させたい場合がある。
【０００４】
この場合、ユーザが原稿のパンチ位置を確認して、コピー後の記録紙も同じ位置にパンチ処理がなされるよう、画像形成装置の操作部にて原稿の位置を指定する必要があった。
【０００５】
この対策として、例えば、特許文献１には、以下の技術が提案されている。
【０００６】
即ち、特許文献１には、原稿の給送時または読み取り時に原稿のパンチ位置を検出し、必要に応じて読み取った原稿画像データを回転処理し、コピー後の記録紙を原稿と同じ向きに揃えることで、パンチ処理を容易に行えるようにする技術が提案されている。
【特許文献１】特開２００５−２６９１７３号公報
【発明の開示】
【発明が解決しようとする課題】
【０００７】
しかしながら、上記従来技術においては、パンチ位置・向きを原稿と同一にできるものの、以下の課題があった。
【０００８】
即ち、上記従来技術においては、パンチ穴の数（２穴、３０穴等）や間隔といった、パンチ処理のスタイルが原稿と後処理部が備えているもので異なる場合、原稿と同一のパンチ処理を記録紙に行うことができない。
【０００９】
従って、その場合は、原稿と同一のパンチ処理のスタイルが可能な後処理ユニットに予め交換する必要があり、ユーザの手を煩わせてしまう。また、コストが嵩んでしまう。
【００１０】
本発明の目的は、パンチ処理がなされている原稿のコピー後の記録紙にもパンチ処理を行って出力させたい場合に、ユーザの手を煩わせることなく、原稿と同じ配列パターンのパンチ穴を記録紙に形成することが可能な画像形成装置を提供することにある。
【課題を解決するための手段】
【００１１】
上記目的を達成するために、請求項１記載の画像形成装置は、原稿の画像を読み取る読取手段と、前記読取手段によって読み取られた画像データを記録紙に画像形成する画像形成手段と、前記画像形成手段によって画像形成された記録紙に複数の配列パターンの何れかでパンチ穴を形成するパンチ手段と、前記読取手段によって読み取られた画像データ上の前記パンチ穴の前記配列パターンを検出するパターン検出手段と、前記パターン検出手段の検出結果に従って前記パンチ手段で実行すべきパンチ処理方法を決定する決定手段と  を備えることを特徴とする。
【発明の効果】
【００１２】
本発明の画像形成装置によれば、パンチ処理がなされている原稿のコピー後の記録紙にもパンチ処理を行って出力させたい場合に、ユーザの手を煩わせることなく、原稿と同じ配列パターンのパンチ穴を記録紙に形成することが可能となる。
【発明を実施するための最良の形態】
【００１３】
以下、本発明の実施の形態を図面を参照しながら詳細に説明する。
【００１４】
図１は、本発明の実施の形態に係る画像形成装置の概略構成図である。
【００１５】
画像形成装置１００は、後処理装置３００、読取手段としてのリーダ部４００、画像形成手段としてのプリンタ部４０１、ＡＤＦ（自動原稿給送装置）５００を備える。
【００１６】
以下、その構成を動作と併せて説明する。
【００１７】
ＡＤＦ５００は、原稿を１枚ごとに給送する。給送された原稿からの反射光がイメージセンサ部４０９に結像されることにより、原稿画像が読み取られる。露光制御部４１０は、コントローラ部４２０で画像処理された画像データに応じた光ビームを感光体４１１に照射する。現像器４１２、４１３は、光ビームにより感光体４１１上に形成された静電潜像を所定色の現像剤（トナー）で現像する。
【００１８】
記録紙収納部４１４、４１５に積載収納された記録紙Ｐは、ピックアップローラ４２１、４３１により１枚ごとに分離され、給紙ローラ４２２、４３２、４３３によりレジストローラ４２５まで給送される。
【００１９】
そして、感光体４１１上に形成される画像の先端にタイミングを合わせて、記録紙Ｐはレジストローラ４２５により転写分離帯電器４１６へ送り込まれる。転写分離帯電器４１６は、感光体４１１上に現像されたトナー像を記録紙Ｐに転写した後、その記録紙Ｐを感光体４１１より分離する。
【００２０】
定着部４１７は、搬送ベルト４２３により転写分離帯電器４１６から送られてきた記録紙Ｐにトナー像を定着させる。本体排紙ローラ４１８は、定着部４１７で定着処理された記録紙Ｐを後処理装置３００へ搬送する。後処理装置３００の搬送ローラ３０１、排紙ベルト３０２は、記録紙Ｐを排紙トレイ３０３へ排紙する。
【００２１】
また、パンチモードの場合には、記録紙Ｐに対して、パンチャーユニット３０４によって穴開け処理が行われ、ステープルモードの場合には、記録紙Ｐに対して、ステープルユニット３０５によってステープル処理が行われる。タイミングセンサ３０６は、パンチ穴処理を行う際のタイミングを取るために、記録紙Ｐの先端及び後端を検出する。
【００２２】
図２は、図１におけるＡＤＦ５００及びリーダ部４００の詳細構成図である。
【００２３】
以下、その構成を動作と併せて説明する。
【００２４】
ＡＤＦ５００において、原稿トレイ２０上に表面を上に向けてセットされた原稿束Ｓの最上位の原稿を、ピックアップローラ１により分離部２へ繰り出す。分離部２は、上方に分離ローラ、下方に分離パッドが配置されており、原稿が重なって繰り出された場合に、最上紙の分離を行う。
【００２５】
片面原稿で表面の画像を読み取る場合は、分離された原稿は、第１レジストローラ３にて分離搬送中の斜行補正が行われた後、第１レジストローラ３から第２レジストローラ４、第１搬送ローラ５により搬送される。
【００２６】
そして、原稿は、読取ローラ７とＡＤＦ用プラテン４３０との当接点である読取位置Ｒを搬送されている間に表面の画像が読み取られる。原稿は、その後、第２搬送ローラ６から排紙ローラ８により、排紙トレイ２１上に原稿表面を下に向けて順番に排紙される。
【００２７】
また、両面原稿で表裏両面の画像を読み取る場合は、分離された原稿は、第１レジストローラ３にて分離搬送中の斜行補正が行われた後、第２レジストローラ４から第１搬送ローラ５、第２搬送ローラ６により搬送される。
【００２８】
そして、原稿は、読取位置Ｒを搬送されている間に表面の画像が読み取られる。その後、第２搬送ローラ６から排紙ローラ８により、一旦、原稿端部が排紙トレイ２１上に搬送され、読取後端側が排紙ローラ８にニップされた状態で搬送が停止される。
【００２９】
その後、原稿は、スイッチバック搬送され、第２レジストローラ４にて、再度斜行補正が行われた後、第１搬送ローラ５、第２搬送ローラ６により搬送され、読取位置Ｒを再度搬送されている間に裏面の画像が読み取られる。
【００３０】
その後、読取後端側が排紙ローラ８にニップされた状態で搬送が停止される。原稿は、その後、スイッチバック搬送され、第２レジストローラ４、第１搬送ローラ５、第２搬送ローラ６により搬送された後、排紙ローラ８により排紙トレイ２１上に表面を下に向けて順番に排紙される。但し、読取位置Ｒを搬送されている間であっても、この間は、原稿画像の読み取りは行われない。
【００３１】
リーダ部４００は、原稿の画像を光学的に読み取り、光電変換して画像データとして出力するものである。
【００３２】
リーダ部４００は、ＡＤＦ用プラテン４３０、プラテンガラス（ブック用プラテン）４０２、ランプ４０３及びミラー４０５を搭載するスキャナユニット４０４、ミラー４０６、４０７、レンズ４０８、ＣＣＤセンサ４０９等を有している。
【００３３】
リーダ部４００は、ＡＤＦ５００から搬送されてくる原稿画像を読み取る場合は、スキャナユニット４０４をＡＤＦ用プラテン４３０の下に移動して停止させ、原稿が読取位置Ｒ上を搬送されている間、画像情報を読み取る。
【００３４】
また、ブック用プラテン４０２上に載置された原稿の画像を読み取る場合は、スキャナユニット４０３を図示しない原稿セット基準から副走査方向に移動させ、原稿の画像情報を読み取る（圧板モードスキャン）。
【００３５】
画像情報の読み取りに際しては、まず、ランプ４０３が点灯し原稿を照射する。原稿からの反射光は、ミラー４０５、４０６、４０７及びレンズ４０８を介して、ＣＣＤセンサ４０９に入力される。そして、ＣＣＤセンサ４０９に入力された原稿からの反射光は、ここで光電変換等の電気処理が行われ、通常のデジタル処理が施される。
【００３６】
図３は、図１の画像形成装置の操作部のレイアウト図である。
【００３７】
図３において、電源スイッチ２０１は、画像形成装置１００への通電を制御する。リセットキー２０２は、スタンバイ中は標準モードに復帰させるキーとして動作する。コピースタートキー２０３は、コピー（複写）動作をスタートさせる。
【００３８】
クリアキー２０４は、数値をクリアするときに使用する。ＩＤキー２０５は、暗証番号の入力時に使用する。ストップキー２０６は、コピーを中断したり、中止するときに使用する。２１０は種々の複写モードを設定するためのモード設定キーであり、シートにパンチ穴をあけるパンチモードの設定キー等が含まれる。
【００３９】
２５２は表示器であり、装置の状態や設定されている複写モード等を表示する。
【００４０】
図４は、図１の画像形成装置の制御ブロック図である。
【００４１】
図４において、図１におけるコントローラ部４２０に備わるＣＰＵ６００は、操作部２００で使用者により選択されたモードに従って、後処理装置３００、リーダ部４００、プリンタ部４０１、ＡＤＦ５００、画像処理部６１０の各部の制御を行う。
【００４２】
ここで、画像処理部６１０は、読取手段としてのリーダ部４００によって読み取られた画像データ上のパンチ穴の配列パターンを検出するパターン検出手段として機能する。
【００４３】
また、ＣＰＵ６００は、パターン検出手段としての画像処理部６１０の検出結果に従って記録紙に対するパンチ処理方法を決定する制御手段として機能する。
【００４４】
さらに、操作部２００は、制御手段としてのＣＰＵ６００によって決定されたパンチ処理方法に沿って、記録紙にパンチ処理を自動的に行うか否かを予め選択するための選択手段として機能する。
【００４５】
図５は、図１における後処理装置に搭載されるパンチャーユニットの外観斜視図、図６は、図５のパンチャーユニットの構成図である。
【００４６】
パンチャーユニット３０４は、パンチピン５０１、５０２、５０３を有し、パンチピン５０１、５０２、５０３は、記録紙Ｐが所定の位置に来た際に下降し、記録紙Ｐに、複数の配列パターンの何れかでパンチ穴を形成する。尚、記録紙Ｐは図の右から左の方向へ搬送される。
【００４７】
本実施の形態では、パンチピンの並びを３列とし、３０穴、３穴、２穴という３種類のパンチ処理方法に対応することができる。カム軸５１１、５１２、５１３が回転することで、各々のパンチピン５０１、５０２、５０３が押されて下降する。パンチャーユニット３０４は、ＣＰＵ６００からの命令により制御される。
【００４８】
図７は、図１における後処理装置の制御ブロック図である。
【００４９】
図７において、後処理装置３００は、タイミングセンサ３０６、カム軸５１１を駆動する第１パンチモータ３９１、カム軸５１２を駆動する第２パンチモータ３９２、カム軸５１３を駆動する第３パンチモータ３９３を備える。
【００５０】
また、後処理装置３００は、搬送モータ３９４、ステープルユニット３０５、排紙ベルトモータ３９６、トレイモータ３９７を備える。これら各ユニットは、ＣＰＵ６００によって制御される。尚、ＣＰＵ６００の代わりに、後処理装置３００のＣＰＵが制御する構成であっても良い。
【００５１】
記録紙Ｐに３０穴のパンチ処理を行う場合、タイミングセンサ３０６によってプリンタ部４０１から後処理装置３００へ搬送される画像形成後の記録紙Ｐの先端または後端を検出し、パンチ穴を開けるべき位置に記録紙Ｐを停止させる。
【００５２】
カム軸５１１が回転してパンチピン５０１を押し下げ、下降したパンチピン５０１の列が記録紙Ｐの所定の位置に３０個のパンチ穴を形成する（図８の（ａ）参照）。カム軸５１１が１８０°回転した位置でパンチピン５０１が下限位置となり、１回転することで元の位置に戻る。
【００５３】
また、３穴のパンチ処理を行う場合は、タイミングセンサ３０６からの検出結果より所定のタイミングで記録紙Ｐを停止させる。そして、カム軸５１２が回転してパンチピン５０２を押し下げ、下降したパンチピン５０２の列が所定の位置に３個のパンチ穴を形成する（図８の（ｂ）参照）。
【００５４】
２穴のパンチ処理を行う場合も同様に、タイミングセンサ３０６からの検出結果より所定のタイミングで記録紙Ｐを停止させる。そして、カム軸５１３が回転してパンチピン５０３を押し下げ、下降したパンチピン５０３が所定の位置に２個のパンチ穴を形成する（図８の（ｃ）参照）。
【００５５】
図９は、図７の画像形成装置におけるパンチ動作時のタイミングチャートである。
【００５６】
搬送モータ３９４によって画像形成後の記録紙Ｐが搬送され、タイミングセンサ３０６が記録紙Ｐの後端を検出したら、ＣＰＵ６００は、所定時間後に搬送モータ３９４を停止して、記録紙Ｐをパンチ位置に停止させる。
【００５７】
そして、ＣＰＵ６００は、パンチモータ（３９１または３９２または３９３）を駆動して、カム軸（５１１または５１２または５１３）を回転させ、記録紙Ｐにパンチ穴を形成する。その後、ＣＰＵ６００は、搬送モータ３９４を再度駆動し、排紙トレイ３０３方向へ記録紙Ｐを再度搬送する。
【００５８】
次に、原稿画像の特徴を認識する認識処理動作について説明する。
【００５９】
図１０は、リーダ部４００により読み取られた原稿画像ＰＰＰからパンチ穴跡（配列パターン）を判別する領域を示す図であり、Ｘ，Ｙは読み取られた原稿の画像を二次元で表わした場合の座標である。尚、本実施の形態では、原稿にパンチ穴があいている場合と原稿にパンチ穴の跡が形成されている場合の何れでもよい。
【００６０】
図１１は、図１におけるパンチ穴付き原稿の画像を示す図である。図１１では、一例として、パンチ穴１１１が３穴だった場合を示している。
【００６１】
図１１に示すように、読み取られた原稿画像ＰＰＰはＡＤＦ５００にセットされる原稿の向きに応じて（ａ）〜（ｄ）に分けられる。尚、図中の搬送方向は、ＰＰＰを原稿としてみたときのＡＤＦで搬送される方向である。
【００６２】
画像処理部６１０は、図１１の（ａ）〜（ｄ）に示すパンチ穴１１１のパンチ穴跡が、図１０に示した斜線のパンチ穴跡判別領域に存在するかどうか、読み取った画像データより判別する。パンチ穴の認識は、パンチ穴のエッジ部分で生じる所定形状の画像を検出することに基づいて行われる。そして、パンチ穴跡の位置及び配列パターン（２穴タイプ、３穴タイプ、３０穴タイプ）を認識し、その結果をＣＰＵ６００に伝達する。
【００６３】
リーダ部４００によって読み取った画像データが、図１１（ｂ）または図１１（ｄ）であった場合、そのままでは原稿と同じ記録紙Ｐの位置にパンチ処理を行うことができない。なぜなら、パンチャーユニット３０４のパンチピンの並び方向が記録紙Ｐの搬送方向に直交する方向であるためである。
【００６４】
そこで、画像処理部６１０は、パンチ穴跡の位置が図１１（ｂ）または図１１（ｄ）の場合には、パンチ穴１１１を図１１（ａ）の向きに形成できるように画像データの回転処理を行う。
【００６５】
ＣＰＵ６００は、画像処理部６１０からの情報を基に、パンチャーユニット３０４の動作モードを決定する。３穴パンチの場合は、パンチピン５０２のみが所定のタイミングで下降して３個のパンチ穴を形成し、原稿に設けられたパンチ穴と同一の位置にパンチ処理がなされる。
【００６６】
図１２は、図４の画像形成装置によって実行されるパンチ穴跡判別処理の手順を示すフローチャートである。本処理は、図４のＣＰＵ６００の制御の下に実行される。
【００６７】
まず、ＣＰＵ６００は、リーダ部４００に原稿画像の読み取りを実行させ、原稿画像を画像処理部６１０内のＲＡＭ６３０へ格納する（ステップＳ１２０１）。次にＣＰＵ６００は、ＲＡＭ６３０に格納された原稿の画像データから、パンチ穴跡判別領域の画像データを抽出する（ステップＳ１２０２）。
【００６８】
このパンチ穴跡判別領域は、図１０に示すように、原稿の各端部から内側で通常パンチング（パンチ処理）される領域となる。次に、ＣＰＵ６００は、画像処理部６１０に、抽出された画像データをさらに細分化して、後述する記憶パターンと比較するためのパターン認識エリアを抽出させる（ステップＳ１２０３）。
【００６９】
このパターン認識エリアは、パンチ穴跡１つ分の画像データを含むことができるエリアサイズである。そして、ＣＰＵ６００は、画像処理部６１０に、抽出されたパターン認識エリアと、予め画像処理部６１０内のＲＯＭ６２０に格納されているパンチ穴跡の記憶パターン（３０穴、３穴、２穴の配列パターン）との比較を行わせる。そして、ＣＰＵ６００は、両者が一致するかどうかを判別する（ステップＳ１２０４）。
【００７０】
パターン認識エリアが、いずれの記憶パターンとも一致しないと判別された場合は、ステップＳ１２０６以降へ進む。一方、一致していると判別された場合、ＣＰＵ６００は、パターン認識エリアがパンチ穴跡であると認識する。
【００７１】
そして、ＣＰＵ６００は、認識されたパンチ穴跡の中心位置を、図１０に示すＸ方向とＹ方向とで中心位置座標データとして求めて、ＲＡＭ６３０に格納する（ステップＳ１２０５）。
【００７２】
次に、ＣＰＵ６００は、比較対象とされたパターン認識エリアがステップＳ１２０２で抽出されたパンチ穴跡判別領域の最終エリアか否か判別し（ステップＳ１２０６）、パンチ穴跡判別領域を全て比較し終わったと判別されたならば処理を終了する。
【００７３】
一方、最終エリアでないと判別されたならば、ＣＰＵ６００は、パターン認識エリアをＸ方向ないしはＹ方向に順次シフトさせて（ステップＳ１２０７）、ステップＳ１２０４〜ステップＳ１２０７を、最終エリアとなるまでパターンの比較処理を繰り返す。
【００７４】
図１３は、図４の画像形成装置によって実行されるパンチ処理を含めた画像形成処理の手順を示すフローチャートである。本処理は、図４のＣＰＵ６００の制御の下に実行される。
【００７５】
まず、ＣＰＵ６００は、ＡＤＦ５００またはプラテンガラス４０２上に原稿がセットされたかどうかを確認し（ステップＳ１３０１）、原稿がセットされるとコピースタートキー２０３が押されたか否かを判断する（ステップＳ１３０２）。
【００７６】
コピースタートキー２０３が押下されると、ＣＰＵ６００は、リーダ部４００に画像読取動作を実行させる（ステップＳ１３０３）。ＣＰＵ６００は、その後、画像処理部６１０にて原稿画像にパンチ穴跡があるかどうかの判別処理を行わせ、原稿にパンチ穴跡があるか否かを判断する（ステップＳ１３０４）。尚、パンチ穴跡がある場合は、その配列パターンも判断し、パンチ処理方法を決定する。
【００７７】
パンチ穴跡が認識された場合、ＣＰＵ６００は、操作部２００の表示器２５２に原稿と同じ位置にパンチ処理を行うか否かの選択画面を表示する（ステップＳ１３０５）。ＣＰＵ６００は、ユーザによる選択入力を待ち（ステップＳ１３０６）、パンチ処理ありが選択されると、画像形成動作を実行する（ステップＳ１３０７）。
【００７８】
その後、ＣＰＵ６００は、決定したパンチ処理方法で画像形成後の記録紙Ｐにパンチャーユニット３０４によってパンチ処理を行わせ（ステップＳ１３０８）、処理を終了する。ステップＳ１３０８でのパンチ処理では、ＣＰＵ６００は、センサ３０６の出力及び決定したパンチ処理方法に従って、カム５１１〜５１３の何れかを所定のタイミングで回転させる。
【００７９】
また、ステップＳ１３０４で原稿画像にパンチ穴跡がないと判別されれば、ＣＰＵ６００は、画像形成動作を行い（ステップＳ１３０９）、パンチ処理を行うことなく処理を終了する。
【００８０】
尚、原稿にパンチ穴がない場合でも、操作部２００よりパンチ処理を行う指示が予め設定されている場合は、操作部２００で選択されたパンチ処理方法で記録紙Ｐにパンチ処理が行われる。
【００８１】
また、ステップＳ１３０５における表示を行わずに、決定したパンチ処理方法で自動的にパンチ処理を実行するように、予め操作部２００で設定するようにしても良い。
【００８２】
以上のように、本実施の形態の画像形成装置によれば、パンチ処理がされている原稿をコピーして記録紙にもパンチ処理を行いたい場合に、ユーザの手を煩わせることなく、原稿と同じ配列パターンのパンチ穴を記録紙に形成することができる。また、その際、記録紙にもパンチ処理を行うかどうかの選択手段を設けたことで、ユーザの意思に沿った記録紙の出力が可能となる。
【図面の簡単な説明】
【００８３】
【図１】本発明の実施の形態に係る画像形成装置の概略構成図である。
【図２】図１におけるＡＤＦ及びリーダ部の詳細構成図である。
【図３】図１の画像形成装置の操作部のレイアウト図である。
【図４】図１の画像形成装置の制御ブロック図である。
【図５】図１における後処理装置に搭載されるパンチャーユニットの外観斜視図である。
【図６】図５のパンチャーユニットの構成図である。
【図７】図１における後処理装置の制御ブロック図である。
【図８】図６のパンチャーユニットによるパンチ処理の様子を示す図である。
【図９】図７の画像形成装置におけるパンチ動作時のシーケンズ図である。
【図１０】図１におけるリーダ部により判別可能なパンチ穴跡判別領域を示す図である。
【図１１】図１におけるＡＤＦから給送されるパンチ穴付き原稿例を示す図である。
【図１２】図４の画像形成装置によって実行されるパンチ穴跡判別処理の手順を示すフローチャートである。
【図１３】図４の画像形成装置によって実行されるパンチ処理を含めた画像形成処理の手順を示すフローチャートである。
【符号の説明】
【００８４】
１１１  パンチ穴
２００  操作部
３００  後処理装置
３０４  パンチャーユニット
３０５  ステープルユニット
４００  リーダ部
４０１  プリンタ部
４２０  コントローラ部
６００  ＣＰＵ
６１０  画像処理部
６２０  ＲＯＭ
６３０  ＲＡＭ
【図１】
2010001096.tif 000003
【図２】
2010001096.tif 000004
【図３】
2010001096.tif 000005
【図４】
2010001096.tif 000006
【図５】
2010001096.tif 000007
【図７】
2010001096.tif 000008
【図８】
2010001096.tif 000009
【図９】
2010001096.tif 000010
【図１０】
2010001096.tif 000011
【図１１】
2010001096.tif 000012
【図１２】
2010001096.tif 000013
【図１３】
2010001096.tif 000014
【図６】
2010001096.tif 000015